(57)【特許請求の範囲】
【請求項１】
伝送路の光ファイバのケーブルロス測定を行う伝送路監視装置から送出され、前記伝送路を介して戻ってきた監視光信号を検波して電気信号に変換された信号を受信する受信信号処理装置において、
遠端の伝送路まで伝送された監視信号のスペクトラム波形の帯域外信号成分を補償するため、伝送路近端からの受信信号の第１の受信帯域幅（Ｆ（ＭＨｚ））よりもｍ倍大きい第２の受信帯域幅（ｍ×Ｆ（ＭＨｚ））をもち、受信信号をろ波するバンドパスフィルタと、
ろ波された信号を増幅するアンプと、
増幅された信号をアナログ信号からディジタル信号に変換するＡ／Ｄ変換器と、
変換されたディジタル信号を前記第１の受信帯域幅に対応したサンプリングポイント数Ａのｎ倍のサンプリングポイント数（ｎ×Ａ）で蓄えるメモリと、
前記メモリに蓄えたサンプリングポイント数のディジタル信号から移動平均を取る処理を行った後グラフ化の処理を行う中央処理装置を有した
ことを特徴とする受信信号処理装置。
【請求項２】
伝送路の光ファイバのケーブルロス測定を行う伝送路監視装置から送出され、前記伝送路を介して戻ってきた監視光信号を検波して電気信号に変換された信号を受信する受信信号処理方法において、
遠端まで伝送された監視信号のスペクトラム波形の帯域外信号成分を補償するため、伝送路近端からの受信信号の第１の受信帯域幅（Ｆ（ＭＨｚ））よりもｍ倍大きい第２の受信帯域幅（ｍ×Ｆ（ＭＨｚ））をもつバンドパスフィルタで、受信信号をろ波し、
このろ波された信号を増幅し、
この増幅された信号をアナログ信号からディジタル信号に変換し、
この変換されたディジタル信号を前記第１の受信帯域幅に対応したサンプリングポイント数Ａのｎ倍のサンプリングポイント数（ｎ×Ａ）で蓄積し、
この蓄えられたサンプリングポイント数のディジタル信号から移動平均を取る処理を行った後グラフ化の処理を行うことを特徴とする受信信号処理方法。
【発明の詳細な説明】
【０００１】
【発明の属する技術分野】
波長多重光増幅方式中継伝送システムにおける伝送路監視装置に関し、特に伝送路の遠端まで伝送された受信信号の劣化が生じるような長距離伝送、例えば、伝送路のシステム長が８０００ｋｍを超える長距離伝送において、スペクトラム波形の帯域幅が広がり受信信号レベルが低下した場合でも、その広がってしまったスペクトラム波形の帯域外信号成分を補償することのできる受信信号処理装置及び方法に関する。
【０００２】
【従来の技術】
波長多重光増幅方式中継伝送システムにおける伝送路監視方式として用いているＯＴＤＲによる光ファイバのケーブルロス測定を行う場合に、信号受信部において、監視光信号を検波後の受信信号をＡ／Ｄ変換する際にシステム長が３０００ｋｍ程度の距離である伝送路を伝送した信号は、その伝送路の近端では送信信号の波形劣化は起こらず、伝送路監視装置の受信部の受信帯域幅とほぼ同じスペクトル幅の信号が伝送路の近端から伝送路監視装置の受信部に戻って来る。
【０００３】
ここで、従来では、伝送路監視のための受信信号処理装置において、伝送路監視装置の受信部の受信帯域幅は、伝送路監視装置が送出する監視信号のスペクトルの帯域幅に応じて決められている。
【０００４】
上記したように、システム長が３０００ｋｍ程度の距離である伝送路では、伝送路監視装置の受信部の受信帯域幅とほぼ同じスペクトル幅の信号が伝送路の近端から伝送路監視装置の受信部に戻って来るので、伝送路監視装置の受信部で信号処理をするための受信信号のレベル低下はみられない。
【０００５】
以下、図３を参照して従来の受信信号処理装置について説明する。図３は、従来の伝送路監視システムにおける受信信号処理装置の構成を示したブロック図である。受信信号処理装置３１は受信信号に対して以下のような処理を施す。Ｆ（ＭＨｚ）の受信帯域幅を持つバンドパスフィルタ３２は、伝送路の光ファイバのケーブルロス測定をおこなう伝送路監視装置のＯＴＤＲから監視光信号を送出し、伝送路を伝送して戻ってきた監視光信号を検波して電気信号に変換した信号を受信し、当該受信信号をろ波する。ろ波された受信信号はアンプ３で増幅される。増幅された信号はＡ／Ｄ変換器４でアナログ信号からディジタル信号に変換される。変換されたディジタル信号はメモリ３５にサンプリングポイント数Ａで蓄えられる。ＣＰＵ６によって、グラフ化の処理が行なわれる。
【０００６】
【発明が解決しようとする課題】
近年、伝送路のシステム長はより長距離伝送を求められるようになっている。従来のように送出する監視信号のスペクトルの帯域幅から受信部の受信帯域幅を決めていると、例えば太平洋横断を行って送受信するという長距離伝送（伝送路のシステム長が８０００ｋｍを超える）を行うような場合、伝送路の遠端では送信信号の波形劣化が顕著に起こり、システム長が３０００ｋｍ程度の伝送路の近端まで伝送した信号と比較すると、その送信信号のスペクトラム波形の帯域幅が広がってしまう。
【０００７】
したがって、伝送路監視装置の受信部の受信帯域幅よりも広がってしまったスペクトル幅の信号が伝送路の遠端から伝送路監視装置の受信部に戻って来るようになり、その広がってしまっている信号を伝送路監視装置の受信部で信号処理をするため信号のレベル低下がみられるという問題点が生じていた。
【０００８】
本発明の目的は、３０００ｋｍ程度までの伝送路のシステム長では問題となっていなかった信号劣化の影響が、８０００ｋｍ程度の長距離伝送で現れ、それに伴い帯域幅が広がってしまった信号成分に対しても、信号の帯域外信号成分を補償することができる受信信号処理装置及び方法を提供することである。
【０００９】
【課題を解決するための手段】
本発明によれば、伝送路の光ファイバのケーブルロス測定を行う伝送路監視装置から送出され、前記伝送路を介して戻ってきた監視光信号を検波して電気信号に変換された信号を受信する受信信号処理装置において、
遠端の伝送路まで伝送された監視信号のスペクトラム波形の帯域外信号成分を補償するため、伝送路近端からの受信信号の第１の受信帯域幅（Ｆ（ＭＨｚ））よりもｍ倍大きい第２の受信帯域幅（ｍ×Ｆ（ＭＨｚ））をもち、受信信号をろ波するバンドパスフィルタと、
ろ波された信号を増幅するアンプと、
増幅された信号をアナログ信号からディジタル信号に変換するＡ／Ｄ変換器と、
変換されたディジタル信号を前記第１の受信帯域幅に対応したサンプリングポイント数Ａのｎ倍のサンプリングポイント数（ｎ×Ａ）で蓄えるメモリと、
前記メモリに蓄えたサンプリングポイント数のディジタル信号から移動平均を取る処理を行った後グラフ化の処理を行う中央処理装置を有した
ことを特徴とする受信信号処理装置が得られる。
【００１０】
また、本発明によれば、伝送路の光ファイバのケーブルロス測定を行う伝送路監視装置から送出され、前記伝送路を介して戻ってきた監視光信号を検波して電気信号に変換された信号を受信する受信信号処理方法において、
遠端まで伝送された監視信号のスペクトラム波形の帯域外信号成分を補償するため、伝送路近端からの受信信号の第１の受信帯域幅（Ｆ（ＭＨｚ））よりもｍ倍大きい第２の受信帯域幅（ｍ×Ｆ（ＭＨｚ））をもつバンドパスフィルタで、受信信号をろ波し、
このろ波された信号を増幅し、
この増幅された信号をアナログ信号からディジタル信号に変換し、
この変換されたディジタル信号を前記第１の受信帯域幅に対応したサンプリングポイント数Ａのｎ倍のサンプリングポイント数（ｎ×Ａ）で蓄積し、
この蓄えられたサンプリングポイント数のディジタル信号から移動平均を取る処理を行った後グラフ化の処理を行うことを特徴とする受信信号処理方法が得られる。
【００１５】
【発明の実施の形態】
以下、本発明の一実施の形態について説明します。図１は、本発明に係る伝送路監視システムにおける受信信号処理装置の構成を示したブロック図である。受信信号処理装置１は、伝送路の光ファイバのケーブルロス測定をおこなう伝送路監視装置のＯＴＤＲから監視光信号を送出し、伝送路を伝送して戻ってきた監視光信号を検波して電気信号に変換した信号を受信する。受信信号処理装置１は、受信帯域幅（ｍ×Ｆ（ＭＨｚ））をもち、受信信号をろ波するバンドパスフィルタ２と、ろ波された信号を増幅するアンプ３と、増幅された信号をアナログ信号からディジタル信号に変換するＡ／Ｄ変換器４と、変換されたディジタル信号をサンプリングポイント数（ｎ×Ａ）で蓄えるメモリ５と、メモリ５に蓄えたサンプリングポイント数（ｎ×Ａ）のディジタル信号から移動平均を取る処理を行った後グラフ化の処理を行うＣＰＵ６を有している。
【００１６】
図２は、本実施の形態における受信信号のスペクトラム波形を示した図である。スペクトラム波形１１は、伝送路近端からの受信信号のスペクトラム波形を示す。受信帯域幅１２は、従来のバンドパスフィルタの受信帯域幅Ｆ（ＭＨｚ）を示し、受信帯域幅１３は、従来の受信帯域幅のｍ倍の幅を持つバンドパスフィルタの受信帯域幅（ｍ×Ｆ（ＭＨｚ））を示す。領域１４は、伝送路近端からの受信信号のスペクトラムのうち従来のバンドパスフィルタで取り込むことができない帯域外信号成分を示す。スペクトラム波形１５は、伝送路遠端からの受信信号のスペクトラム波形例を示す。領域１６は、伝送路遠端からの受信信号のスペクトラムのうち従来のバンドパスフィルタで取り込むことができない帯域外信号成分を示す。（Ｂ）の受信帯域幅１２および受信帯域幅１３は、（Ａ）の受信帯域幅１２および受信帯域幅１３とそれぞれ同じものを示す。
【００１７】
以下、上記した受信信号処理装置１の動作について説明する。受信信号処理装置１は、伝送路の光ファイバのケーブルロス測定をおこなう伝送路監視装置のＯＴＤＲから送出され、伝送路を伝送して戻ってきた監視光信号を検波して電気信号に変換した信号を受信する。監視光信号が検波された後の受信信号は、ｍ×Ｆ（ＭＨｚ）の受信帯域幅を持つバンドパスフィルタ２で、ノイズ成分が低減される。図２（Ａ）に示す伝送路近端からの受信信号に対しては、従来のＦ（ＭＨｚ）の受信帯域幅のバンドパスフィルタであったとしても得られる信号成分の量はｍ×Ｆ（ＭＨｚ）の受信帯域幅を持つバンドパスフィルタで得られる信号成分の量とほぼ同等であるが、図２（Ｂ）に示す伝送路遠端からの受信信号に対しては、従来の受信帯域幅（Ｆ（ＭＨｚ））のｍ倍の受信帯域幅（ｍ×Ｆ（ＭＨｚ））を持つバンドパスフィルタ２を用いる。
【００１８】
これにより、従来の伝送路近端からの受信信号の受信帯域幅（Ｆ（ＭＨｚ））のバンドパスフィルタでは取り込むことができない信号成分１６を取り込むことができるようになり、遠端の伝送路まで伝送した信号が劣化した分の帯域外信号成分は補償されることとなる。
【００１９】
一方、受信帯域幅を従来の受信帯域幅（Ｆ（ＭＨｚ））からｍ倍の受信帯域幅（ｍ×Ｆ（ＭＨｚ））としたことにより信号成分の補償を実現したが、ノイズ成分についても取り込む量が増加し、信号対ノイズ比（Ｓ／Ｎ）が劣化することとなる。このＳ／Ｎ劣化分を補償するために、Ａ／Ｄ変換器４でアナログ信号からディジタルデータに変換し、変換したディジタルデータをメモリ５に従来のサンプリングポイント数Ａのｎ倍のサンプリングポイント数（ｎ×Ａ）で蓄える。ＣＰＵ６によって、従来よりｎ倍の量のサンプリングポイント数を用いて移動平均処理を行うことによりノイズ成分を減少させ、Ｓ／Ｎ改善を実現する。
【００２０】
【発明の効果】
第一の効果として、伝送路監視装置の受信部の受信帯域幅を広げることにより、最遠端の伝送路まで伝送して信号が劣化した分の信号の帯域外信号成分を補償する事を実現し、３０００ｋｍ程度までの伝送路のシステム長では問題となっていなかった劣化の影響が、８０００ｋｍ程度の長距離伝送における信号劣化があらわれ帯域幅が広がってしまった信号成分に対しても、信号の帯域外信号成分を補償することができる。
【００２１】
第二の効果として、受信帯域幅を広げたことにより、受信帯域幅を広げることによりノイズ成分も増加してＳ／Ｎが劣化することとなるが、ノイズ成分の増加分をＡ／Ｄ変換後のディジタルデータのサンプリングポイント数を増加させ、移動平均を取ることにより、Ｓ／Ｎ改善を行うことができる。
【図面の簡単な説明】
【図１】本発明に係る伝送路監視システムにおける受信信号処理装置の構成を示したブロック図である。
【図２】本実施の形態における受信信号のスペクトラム波形を示した図である。
【図３】従来の伝送路監視システムにおける受信信号処理装置の構成を示したブロック図である。
【符号の説明】
１    受信信号処理装置
２    バンドパスフィルタ
３    アンプ
４    Ａ／Ｄ変換器
５    メモリ
６    ＣＰＵ
【図１】
0003813860.tif 000002
【図２】
0003813860.tif 000003
【図３】
0003813860.tif 000004